(57)【要約】【課題】従来よりも簡易な構成でありながら、指向性を制御できるスピーカに関する技術を提供する。【解決手段】本発明に係るスピーカは、平面板と、該平面板の一方の面上に配置された複数の磁石とを有する磁石ユニットと、前記磁石ユニットと所定の間隔をあけて配置される振動板と、前記振動板に設けられ、音声信号に対応する電流が流れるコイルと、を備える。そして、前記振動板は、所定の音波を発生させる第一領域と、前記第一領域とは異なる性質を有することで、前記所定の音波よりも高域の音波を発生させる第二領域と、を有する。【選択図】図３
2009290565.tif 000002
【特許請求の範囲】
【請求項１】
平面板と、該平面板の一方の面上に配置された複数の磁石とを有する磁石ユニットと、
前記磁石ユニットと所定の間隔をあけて配置される振動板と、
前記振動板に設けられ、音声信号に対応する電流が流れるコイルと、を備え、
前記振動板は、所定の音波を発生させる第一領域と、前記第一領域とは異なる性質を有することで、前記所定の音波よりも高域の音波を発生させる第二領域と、を有する
スピーカ。
【請求項２】
前記スピーカは、前記所定の音波よりも高域の音波を発生させる第二領域の位置が特定されることで、指向性が制御される、請求項１に記載のスピーカ。
【請求項３】
前記コイルは、前記複数の磁石の夫々に対応する複数のコイルからなり、
前記スピーカは、前記複数のコイルの間隔が調整されることで、指向性が制御される、請求項１又は請求項２に記載のスピーカ。
【請求項４】
前記性質には、振動板の重量、振動板の内部損失、振動板の剛性のうち少なくとも何れか一つが含まれる、請求項１から請求項３の何れか一に記載のスピーカ。
【請求項５】
前記第一領域が前記振動板の中央部分に設けられ、前記第二領域が該振動板の中央部分に設けられた第一領域に対して外側に設けられ、前記スピーカが狭指向性に制御される、請求項１から請求項４の何れか一に記載のスピーカ。
【請求項６】
前記第二領域が前記振動板の中央部分に設けられ、前記第一領域が該振動板の中央部分に設けられた第二領域に対して外側に設けられ、前記スピーカが広指向性に制御される、請求項１から請求項４の何れか一に記載のスピーカ。
【請求項７】
前記第二領域は、前記第一領域を形成する振動板よりも内部損失が小さい材質によって構成される、請求項１から請求項６の何れか一に記載のスピーカ。
【請求項８】
前記コイルは、前記複数の磁石の夫々に対応する複数のコイルからなり、
前記第一領域に設けられる複数のコイル同士が直列に接続され、前記第二領域に設けられる複数のコイル同士が直列に接続される、請求項１から請求項７の何れか一に記載のスピーカ。
【請求項９】
平面板と該平面板の一方の面上に配置された複数の磁石とを有する磁石ユニットと所定の間隔をあけて配置され、かつ、音声信号に対応する電流が流れるコイルが設けられた振動板であって、
所定の音波を発生させる第一領域と、前記第一領域とは異なる性質を有することで、前記所定の音波よりも高域の音波を発生させる第二領域と、を備え、前記第二領域の位置が特定されることで、該振動板が用いられるスピーカの指向性を制御する振動板。
【請求項１０】
平面板と、該平面板の一方の面上に配置された複数の磁石とを有する磁石ユニットと、
前記磁石ユニットと所定の間隔をあけて配置される振動板と、
前記振動板に設けられ、音声信号に対応する電流が流れるコイルと、を有するスピーカと、
前記スピーカに入力する音声信号を増幅する増幅部と、を備え、
前記振動板は、所定の音波を発生させる第一領域と、前記第一領域とは異なる性質を有することで、前記所定の音波よりも高域の音波を発生させる第二領域と、を有し、前記スピーカは、前記第二領域の位置が特定されることで、指向性が制御されるスピーカシステ
ム。
【発明の詳細な説明】
【技術分野】
【０００１】
本発明は、スピーカの技術に関する。
【背景技術】
【０００２】
スピーカを複数配置するアレイスピーカが知られている。ここで、図１は、従来のアレイスピーカシステムの概略構成を示す。この従来のスピーカシステムでは、音楽再生装置からの電気信号がアンプ（ＡＭＰ）２０２で増幅され、アレイスピーカ（Ｌｃｈ）２０３、アレイスピーカ（Ｒｃｈ）２０４から音声として出力される。アレイスピーカ２０３（２０４）は、複数のスピーカ２０３ａ、２０３ｂ、２０３ｃ、２０３ｄ、２０３ｅによって構成されている。そして、このような従来のスピーカシステムでは、アレイスピーカ２０３を構成する各スピーカ２０３ａ等の出力音声を変化させることで指向性が制御される。
【０００３】
また、スピーカの薄型化を図るべく、平面板の上に等間隔に並べられた磁石を利用する技術が知られている（例えば、特許文献１を参照。）。この技術では、コイルを備える振動板が上記磁石の上方に配置されており、コイルに音声信号に対応する電流を流すことで、振動板が振動し、音声が生じる。
【特許文献１】特開２００７−１５８６４３号公報
【発明の開示】
【発明が解決しようとする課題】
【０００４】
従来のスピーカに関する技術として複数のスピーカを配置するアレイスピーカに関する技術が知られている。この従来のアレイスピーカでは、アレイスピーカを構成する複数のスピーカからの音声出力の位相差により、指向性を制御することが可能である。しかしながら、従来のアレイスピーカでは、アレイスピーカを構成する各スピーカの口径が比較的大きく、スピーカ同士の間隔を狭めるにも限界がある。その結果、特に高域における音声のいわゆるバタツキが大きいという問題がある。また、アレイスピーカは、複数のスピーカが必要であり、そのためスピーカシステムが複雑化、又は大型化してしまうといった懸念がある。
【０００５】
本発明では、上記した背景に鑑み、従来よりも簡易な構成でありながら、指向性を制御できるスピーカに関する技術を提供することを課題とする。
【課題を解決するための手段】
【０００６】
本発明では、上述した課題を解決するため、多点駆動型のスピーカを用い、更に、このようなスピーカにおいて、高域帯の音波を発生させる領域と低域帯の音波を発生させる領域とを設け、領域の配置や振動板の性質等に工夫を施すこととした。
【０００７】
より詳細には、本発明に係るスピーカは、平面板と、該平面板の一方の面上に配置された複数の磁石とを有する磁石ユニットと、前記磁石ユニットと所定の間隔をあけて配置される振動板と、前記振動板に設けられ、音声信号に対応する電流が流れるコイルと、を備える。そして、前記振動板は、所定の音波を発生させる第一領域と、前記第一領域とは異なる性質を有することで、前記所定の音波よりも高域の音波を発生させる第二領域と、を有する。
【０００８】
本発明に係るスピーカでは、平面板の上に複数の磁石が適宜並べられて一つの磁石ユニットが構成される。この磁石の配列態様は、特に限定されるものではないが、磁石からの
磁束の有効利用や製造の容易性等を考慮すると、磁石は等間隔で規則的に配置されることを好ましい。この一つの磁石ユニットでは、磁石のＮ極からＳ極に磁束が向かい、平面板の内部やその他の空間を介して磁気回路が形成される。そして、上記のような磁石ユニットに対して所定の間隔をあけて、コイルが設けられた振動板が配置されている。その結果、音声信号に対応する電流をコイルに流すことで、振動板が振動し、音声が生じる。なお、コイルは、振動板の内部に設けてもよく、また、振動板の表面に配置してもよい。
【０００９】
本発明に係るスピーカでは、上記振動板が、所定の音波を発生させる第一領域と、前記第一領域とは異なる性質を有することで、前記所定の音波よりも高域の音波を発生させる第二領域と、を備えることを特徴とする。すなわち、本発明に係るスピーカによれば、振動板の性質を部分的に変えることで、一つのスピーカ上で異なる周波数の音波を発生することができる。そして、これら第一領域や第二領域の配置を適宜変更することで指向性を制御することができる。また、振動板の性質を目的に応じて設計することで、指向性が現れる周波数（以下、指向性開始周波数ともいう。）を任意に設定することが可能となる。
【００１０】
振動板の性質には、例えば、振動板の重量、振動板の内部損失、振動板の剛性が挙げられる。振動板の重量を軽くすることで、高域帯の音波が発生しやすくなり、また、高域帯の上限を高めることができる。剛性を大きくすることで、高域帯の音波が発生しやすくなり、また、効率よく振動を伝達することができる。更に、内部損失を大きくすることで、振動が吸収され易くなり、その結果、高域の音波の発生が抑制される。また、内部損失を大きくすることで、速やかに振動が停止するので、周波数特性の乱れを抑制することもできる。一方、内部損失を小さくした場合には、高域帯の音波が発生しやすくなる。従って、このような性質を考慮して、それぞれの領域に用いる振動板の材質等を設計すればよい。なお、第一領域と第二領域とをそれぞれ異なる材質によって形成してもよいが、同じ材質を重ねて張り合わせることで、振動板の性質が部分的に異なるように設計してもよい。
【００１１】
ここで、指向性の制御は、前記所定の音波よりも高域の音波を発生させる第二領域の位置を特定することで行うことができる。指向性は、特に、高域の音波による影響が大きい、すなわち、音波の周波数を高くすることで、指向性が強められる。そこで、本発明に係るスピーカでは、指向性に対する影響力が大きい第二領域の位置を特定することで、指向性の制御を実現することとした。例えば、振動板の中央部分に所定の音波として低い周波数（以下、低域ともいう。）の音波を発生させる第一領域を設け、かつ、振動板の外側に高域の音波を発生させる第二領域を設け、外側に設けられた第二領域からの高域の音波を互いに干渉させることで、狭指向性のスピーカを提供することが可能となる。
【００１２】
本発明に係るスピーカでは、複数の磁石に対応する複数のコイルの夫々が、一つの音源として機能する。そして、あるコイルから受聴点までの距離と、他のコイルからの受聴点までの距離との差によって指向性が生じる。そこで、本発明に係るスピーカでは、前記複数のコイルの間隔を調整することで、指向性を制御するようにしてもよい。音源同士の間隔が広いと各音源から受聴点までの距離の差が大きくなり、その結果、指向特性を表す波の振幅が大きく、高域においていわゆるバタツキが発生することが懸念される。なお、従来のアレイスピーカでは、夫々が音源として機能する各スピーカの口径を小さくするには限界があり、その結果、音源同士の間隔を狭く設定することが困難であった。これに対し、本発明に係るスピーカによれば、上記のような多点駆動型のスピーカとすることで、従来のアレイスピーカよりも音源同士の間隔を狭く設定することが可能となる。その結果、指向特性を表す波の振幅が小さくなり、高域におけるいわゆるバタツキを抑制することが可能となる。また、従来のアレイスピーカに比べて音源同士の間隔を狭くできることから、より広い範囲で指向性を制御することが可能となる。
【００１３】
また、上述した本発明に係るスピーカは、前記第二領域が前記振動板の中央部分に設け
られ、前記第一領域が該振動板の中央部分に設けられた第二領域に対して外側に設けられ、前記スピーカが広指向性に制御されるようにしてもよい。指向性を発生し難い第一領域を外側に設けることで、スピーカを広指向性に制御することが可能となる。
【００１４】
また、上述した本発明に係るスピーカにおいて、前記第二領域は、前記第一領域を形成する振動板よりも内部損失が小さい材質によって構成してもよい。第二領域の内部損失を第一領域よりも小さくすることで、高域の音波を発生しやすくすることができる。
【００１５】
ここで、前記コイルは、前記複数の磁石の夫々に対応する複数のコイルからなり、前記第一領域に設けられる複数のコイル同士が直列に接続され、前記第二領域に設けられる複数のコイル同士が直列に接続されるようにしてもよい。これにより、各領域内のコイルに送られる音声信号に対応する電流の周波数を同じとすることができる。また、例えば第二領域に設けられるコイルには、第一領域に設けられるコイルよりも高域の音声信号に対応する電流を入力するようにすることができる。すなわち、コイルに流す電流を変化させることで、指向性を制御することができる。なお、コイルは、二重、三重といったように、複数重ねるように構成することもできる。
【００１６】
ここで、本発明は、上述したスピーカに用いられる振動板として特定することもできる。すなわち、本発明は、平面板と該平面板の一方の面上に配置された複数の磁石とを有する磁石ユニットと所定の間隔をあけて配置され、かつ、音声信号に対応する電流が流れるコイルが設けられた振動板であって、所定の音波を発生させる第一領域と、前記第一領域とは異なる性質を有することで、前記所定の音波よりも高域の音波を発生させる第二領域と、を備える。そして、前記第二領域の位置が特定されることで、該振動板が用いられるスピーカの指向性を制御することができる。
【００１７】
また、本発明は、上述したスピーカを含むスピーカシステムとして特定することも可能である。すなわち、本発明は、平面板と、該平面板の一方の面上に配置された複数の磁石とを有する磁石ユニットと、前記磁石ユニットと所定の間隔をあけて配置される振動板と、前記振動板に設けられ、音声信号に対応する電流が流れるコイルと、を有するスピーカと、前記スピーカに入力する音声信号を増幅する増幅部と、を備える。そして、前記振動板は、所定の音波を発生させる第一領域と、前記第一領域とは異なる性質を有することで、前記所定の音波よりも高域の音波を発生させる第二領域と、を有し、前記スピーカは、前記第二領域の位置が特定されることで、指向性が制御される。
【発明の効果】
【００１８】
本発明によれば、従来よりも簡易な構成でありながら、指向性を制御できるスピーカに関する技術を提供することができる。
【発明を実施するための最良の形態】
【００１９】
次に、本発明のスピーカの実施形態について図面に基づいて説明する。
【００２０】
＜第一実施形態＞
まず、実施形態に係るスピーカ１００の概略構成について説明する。図２は、第一実施形態のスピーカ１００の概略構成を示す。スピーカ１００は、磁石ユニット２と、振動板３と、コイル４と、によって構成されている。磁石ユニット２は、フレーム２１上に複数の磁石２２が規則的に、均等な間隔をあけて配置されることで形成されている。ここで、図３は、磁石ユニット２の上面図を示す。同図に示すように、磁石２２は、その端部がＮ極又はＳ極となる矩形状の磁石であり、これらの複数の磁石２２が、隣接する磁石との関係において先端部が互いに異なる磁極となるように、規則的に配置されている。本実施形態の磁石ユニット２は、横長の長方形のフレーム２１上に、横方向に５つ、縦方向に３つ
、合計１５の磁石２２によって構成されている。但し、磁石ユニット２は、このような態様に限定されるものではない。フレーム２１は、例えば多角形や、円形であってもよく、磁石２２の配置や総数もフレーム２１に合わせて適宜配置することができる。
【００２１】
振動板３は、上記磁石ユニット２と所定の間隔をあけて設けられている。振動板３は、エッジ５を介して磁石ユニット２のフレーム２１と弾性的に固定されている。振動板３と磁石ユニット２との間隔は、振動板３が振動する際、振動板３と磁石ユニット２とが互いに接触しない程度の距離として適宜設計することができる。
【００２２】
振動板３の上面には、コイル４が設けられており、このコイル４は、錦糸線６を介して磁石ユニット２の外部に設けられたコネクタ７に接続されている。コネクタ７には、スピーカ１００の外部からコード８を経て音声信号に対応する電流が供給される。また、本実施形態では、振動板３を覆うように防護ネット９が設けられ、振動板３やコイル４への塵埃等の付着が防止されている。なお、コード８を図示しないアンプ等に接続することができる。この場合、本実施形態は、アンプ等を備えるスピーカシステムとして特定することもできる。
【００２３】
なお、本実施形態においては、振動板３の上面にコイル４が設けられているが、コイル４は、振動板３の内部に設けてもよく、また、振動板３の下面に設けてもよい。また、振動板３の上面と下面の双方にコイル４を設けるようにしてもよい。
【００２４】
音声信号に対応する電流がコイル４に供給されると、磁石ユニット２からなる磁気回路の磁束によって電流が流れるコイル４が力を受け、振動板３が振動する。その結果、振動板３から音波が発生する。
【００２５】
ここで、本実施形態に係るスピーカ１００は、振動板３が二つの領域によって構成され、夫々の領域が周波数の異なる音波を発生させることで、指向性を制御できることを特徴とする。そこで、この特徴点を中心に、更に詳細に説明する。図４Ａは、振動板３の外側に高域の音波を発生させる高域領域（本発明の第二領域に相当する。）３１が設けられたスピーカを説明する図を示す。図４Ａでは、実施形態のスピーカの理解を助けるため、磁石ユニット２を点線で示す。図４Ｂは、第一実施形態の振動板の断面図を示す。この態様では、振動板３の中央部分に設けられている三つの磁石２２に対応する領域が低域の音波を発生させる低域領域（本発明の第一領域に相当する。）３２として設定され、この低域領域３２の外側が高域の音波を発生させる高域領域３１として設定されている。
【００２６】
そして、本実施形態では、このような二つの領域が、振動板３の材質を変更することで実現されている。具体的には、振動板３のうち、低域領域３２が内部損失が大きい材質によって構成され、高域領域３１が内部損失が小さい材質によって構成されている。その結果、内部損失が大きい材質によって構成された低域領域３２では、振動が吸収されやすく、高域の音波の発生が抑制される。一方、内部損失が小さい材質によって構成された高域領域３１では、低域領域に比べて振動が吸収され難いので、コイル４に同周波数の信号が入力された場合であっても、高域の音波を発生させることができる。
【００２７】
なお、高域領域３１を形成する材料と、低域領域３２を形成する材料との接続は、例えば、図４Ｂに示すように端部同士をラップさせ、接着剤等によって接続すればよい。また、例えば、図４Ｃに示すように、内部損失が小さい材料を振動板３の全体の大きさに合わせて設計し、低域領域３２に合わせて設計された内部損失が大きい材料を張り合わせるようにしてもよい。
【００２８】
ここで、振動板３を構成する材質について説明する。図５は、振動板３を構成する材質
の一例を示す。内部損失が小さい材質には、アルミニウム、チタン、マグネシウムといった金属系の材料が例示される。なお、これら金属系の材料の剛性は、樹脂系や紙系に比べて大きい。また、内部損失が大きい材質には、紙系材料が例示される。また、内部損失の大きさが、金属系の材料と紙系の材料との中間に位置するものとして、ポリプロピレン（ＰＰ）、アラミド、ポリエーテルイミド（ＰＥＩ）といった樹脂系の材料が例示される。なお、振動板３の内部損失を部分的に変更するに際しては、これらの材質を適宜組合せればよいが、同一の材質を例えば重ねる（貼り合わせる）ことで、内部損失を変更することもできる。また、本実施形態では、振動板の内部損失を基準として、高域領域３１と低域領域３２の材質を変えることとした。但し、これに限定されるわけではなく、高域領域３１と低域領域３２の材質は、剛性や重量を基準として変更するようにしてもよい。
【００２９】
本実施形態では、各磁石２２に対応する夫々のコイル４１ａ等が直列に配置されている。ここで、図６は、コイル４の配線の概要を示す。本実施形態では、隣接する磁石２２の端部の磁極が異なるように配置されている（図３参照。）。そこで、コイル４については、隣接するコイル４の巻き方向が逆になるにように設計され、図６に示すように各コイル４１ａ等が直列に接続されている。従って、コイル４内には、音声信号に対応する同周波数の電流が流れる。すなわち、本実施形態では、電流が流れる経路が一系統であることからその構成は、非常に単純であるものの、振動板３の材質を変えることで、指向性を制御することが可能となっている。
【００３０】
図７は、図６におけるＡＡ断面図を示し、図８は、図６におけるＢＢ断面図を示す。本実施形態では、磁束の漏れを考慮して、端部に位置するコイルの巻き数が多くなるように設計されている。すなわち、少なくとも一部が開放されている端部や隅部では、磁束が外部へ漏れる可能性が大きくなり、磁束密度が低くなり易い。そこで、端部や隅部に配置されるコイルの巻き数を多くし、コイル（導線）の長さを長くすることで、振動板３上に同等の力が作用するにように工夫されている。すなわち、二つの側面が開放されている隅部に配置されている磁石に対応するコイル４１ａやコイル４１ｃは、三層構造であり、一つの側面が開放されている端部に配置されている磁石に対応するコイル４１ｂ、４１ｄ、４１ｆは、二層構造であり、全ての側面が閉ざされている磁石に対応するコイル４１ｅは、一層構造である。なお、理解を容易とするため一層、二層、三層といった分かり易い巻き数としたが、コイルの巻き数（導線の長さ）は、磁束密度を考慮して適宜設計すればよい。
【００３１】
なお、本実施形態のスピーカ１００は、従来のアレイスピーカに比べて音源同士の間隔を狭くすることができる。その結果、高域におけるいわゆるバタツキを抑制することができる。ここで、図９は、従来のアレイスピーカによる周波数特性のグラフを示す。図１０は、本実施形態に係るスピーカによる周波数特性のグラフを示す。いずれの図においても、縦軸は音圧（ｄＢ）であり、横軸は周波数（Ｈｚ）である。図９に示すように、従来のアレイスピーカでは、アレイスピーカを構成する複数のスピーカから発生した音波が、夫々の距離差によって違った周波数で干渉することから、干渉するポイント（図９で矢印で示す。）が発生する。そして、指向特性に、図９に示すような比較的大きな振幅の波が繰り返される。これに対し、本実施形態のスピーカ１００の場合、指向特性の発生原理は、同じであるものの、コイル同士（音源同士）の間隔が狭いことから、振幅が小さくなり、緩やかな曲線となる。すなわち、本実施形態のスピーカ１００では、面音源に近づくことになる。
【００３２】
以上説明した第一実施形態のスピーカ１００によれば、振動板３の材質を部分的に変えることで、指向性を制御することが可能となる。すなわち、本実施形態では、高域領域３１を振動板３の外側に設けることで、狭指向性のスピーカが実現されている。そして、この実施形態のスピーカ１００では、音声信号に対応する電流の周波数が、一定であり、非
常に簡易な構成で、狭指向性のスピーカ１００が実現されている。更に、従来のアレイスピーカに比べて、音源同士の間隔が密であることから、高域における音のバタツキが抑制される。また、振動板３の材質によって指向性を自由にコントロールすることができ、指向性が始まる周波数を設定することも可能となる。
【００３３】
＜第二実施形態＞
次に第二実施形態のスピーカについて図面に基づいて説明する。なお、先に説明した実施形態に係るスピーカと同一の構成要素については、同一の参照番号を付すことで詳細な説明は省略する。
【００３４】
図１１は、第二実施形態に係る、振動板３の中央部分に高域領域３１が設けられたスピーカを説明する図を示す。第二実施形態のスピーカは、基本的な構成は、第一実施形態のスピーカ１００と同じである。コイル４の配線は、第一実施形態のスピーカ１００と同じであり、図示は省略する。第二実施形態のスピーカでは、振動板３の構成が、第一実施形態の振動板３と異なる。具体的には、第二実施形態の振動板３は、振動板３の中心部分に高域の音波を発生させる高域領域３１が設けられている。そして、中央部分に設けられた高域領域３１の外側に低域領域３２が設けられている。
【００３５】
つまり、第二実施形態のスピーカでは、振動板３のうち、中央部分が内部損失が小さい材質によって構成され、外側が内部損失が大きい材質によって構成されている。その結果、第二実施形態のスピーカによれば、広指向性のスピーカが実現されている。
【００３６】
＜第三実施形態＞
次に第三実施形態のスピーカについて図面に基づいて説明する。なお、先に説明した実施形態に係るスピーカと同一の構成要素については、同一の参照番号を付すことで詳細な説明は省略する。
【００３７】
図１２は、第三実施形態のスピーカにおける振動板３とコイル４ａ、４ｂとの分解斜視図を示す。図１３は、第三実施形態のスピーカの断面図を示す。第三実施形態のスピーカは、第一実施形態のスピーカ１００と異なり、振動板３の下面にもコイル４ｂが設けられている。上述したように、磁石ユニット２の端部や隅部では、磁束が外部へ漏れる可能性が大きくなり、磁束密度が低くなり易い。そこで、本実施形態では、端部や隅部において下面にもコイル４ｂを設けることとした。これにより、振動板３上に同等の力が作用するにように工夫されている。
【００３８】
なお、振動板３については、第一実施形態と同じく中央部分に高域領域３１が設けられている。その結果、本実施形態のスピーカ１００は、狭指向性に設定されている。但し、これに限定されるものではなく、例えば、実施形態に係るスピーカは、中央部分に低域領域を有する構成であってもよい。
【００３９】
＜第四実施形態＞
次に第四実施形態のスピーカについて図面に基づいて説明する。なお、先に説明した実施形態に係るスピーカと同一の構成要素については、同一の参照番号を付すことで詳細な説明は省略する。
【００４０】
図１４は、第四実施形態のスピーカを示す。第四実施形態のスピーカは、ダブルボイスコイル構造を有し、周波数が異なる二種の電流が入力される。具体的には、コイルＡ群には、高域成分を有する電流Ａが入力され、中央部分に設けられたコイルＢ群には、低域成分を有する電流Ｂが入力される。その結果、第四実施形態のスピーカによれば、より狭指向性に優れたスピーカを提供することが可能となる。
【００４１】
以上、本発明の好適な実施形態を説明したが、本発明に係るスピーカはこれらに限らず、可能な限りこれらの組合せを含むことができる。
【図面の簡単な説明】
【００４２】
【図１】従来のアレイスピーカのスピーカシステムの概略構成を示す。
【図２】第一実施形態のスピーカの概略構成を示す。
【図３】第一実施形態の磁石ユニットの上面図を示す。
【図４Ａ】振動板の外側に高域領域が設けられたスピーカを説明する図を示す。
【図４Ｂ】第一実施形態の振動板の断面図を示す。
【図４Ｃ】変形例に係る振動板の断面図を示す。
【図５】第一実施形態の振動板を構成する材質の一覧を示す。
【図６】第一実施形態のコイルの配線の概要を示す。
【図７】図６におけるＡＡ断面図を示す。
【図８】図６におけるＢＢ断面図を示す。
【図９】従来のアレイスピーカによる周波数特性のグラフを示す。
【図１０】第一実施形態のスピーカによる周波数特性のグラフを示す。
【図１１】第二実施形態に係る、振動板の中央部分に高域領域が設けられたスピーカを説明する図を示す。
【図１２】第三実施形態のスピーカにおける振動板とコイルとの分解斜視図を示す。
【図１３】第三実施形態のスピーカの断面図を示す。
【図１４】第四実施形態のスピーカの概略構成を示す。
【符号の説明】
【００４３】
２・・・磁石ユニット
３・・・振動板
４・・・コイル
５・・・エッジ
６・・・錦糸線
７・・・コネクタ
８・・・コード
９・・・防護ネット
２１・・・フレーム
２２・・・磁石
３１・・・高域領域
３２・・・低域領域
【図１】
2009290565.tif 000003
【図２】
2009290565.tif 000004
【図３】
2009290565.tif 000005
【図４Ａ】
2009290565.tif 000006
【図４Ｂ】
2009290565.tif 000007
【図４Ｃ】
2009290565.tif 000008
【図５】
2009290565.tif 000009
【図６】
2009290565.tif 000010
【図７】
2009290565.tif 000011
【図８】
2009290565.tif 000012
【図９】
2009290565.tif 000013
【図１０】
2009290565.tif 000014
【図１１】
2009290565.tif 000015
【図１２】
2009290565.tif 000016
【図１３】
2009290565.tif 000017
【図１４】
2009290565.tif 000018